(57)【要約】    【課題】単葉のＲＦＩＤインレットを用いてＲＦＩＤに対する側面からの読込み／書込みを可能とした情報記録担体を提供することを課題とする。【解決手段】裏面に粘着剤層６が形成されるとともに、表面５に高所部５ａおよび低所部５ｂが形成された基材２と、高所部５ａおよび低所部５ｂの形状に沿って貼り付けるとともに、アンテナ８、およびこのアンテナ８を介して情報の書込みおよび読込みが行われるＩＣチップを備えるＲＦＩＤインレット３と、基材２に被覆されたＲＦＩＤインレット３の表面５を被覆する保護部材４と、を備え、基材２の高所部５ａより側面へアンテナ８の一部を折り曲げて施設し、このアンテナ８を介して側面よりの送受信を可能としたことを特徴とする。【選択図】        図４
2008052462.tif 000002
【特許請求の範囲】
【請求項１】
裏面に粘着剤層が形成されるとともに、表面に高所部および低所部が形成された基材と、
前記基材の表面に形成された前記高所部および低所部の形状に沿って貼り付けるとともに、アンテナ、およびこのアンテナに接続され、該アンテナを介して情報の書込みおよび読込みが行われるＩＣチップを備えるＲＦＩＤインレットと、
前記基材に被覆された前記ＲＦＩＤインレットの、さらに表面を被覆する保護部材と、を備え、
前記基材の高所部より側面へ前記アンテナの一部を折り曲げて施設し、このアンテナを介して側面よりの送受信を可能としたことを特徴とする情報記録担体。
【請求項２】
前記基材の表面は、側断面が波形状の凹凸による低所部および高所部が形成され、高所部より側面になだらかな傾斜部を形成し、該傾斜部に前記アンテナの一部を折り曲げることを特徴とする請求項１記載の情報記録担体。
【請求項３】
前記基材は、立設して形成された突状の高所部と、平坦部の低所部とが形成され、前記突状の高所部の側面にアンテナの一部を折り曲げることを特徴とする請求項１記載の情報記録担体。
【請求項４】
前記基材は、上面が平坦状に形成された高所部と、底面の周縁部に形成された低所部と、上面の高所部より底面の周縁部の低所部に向けて形成された傾斜部とを備えた角錐台状を呈し、上面の高所部より側面の傾斜部に前記アンテナの一部を折り曲げることを特徴とする請求項１記載の情報記録担体。
【請求項５】
前記基材は、周縁部を反らせて形成した高所部と、中央部位を窪んだ凹状に形成した低所部と、中央部位の低所部より周縁部の高所部に抜けて形成した傾斜部とを備えたすり鉢状を呈し、前記傾斜部に沿ってアンテナの一部を施設することを特徴とする請求項１記載の情報記録担体。
【請求項６】
裏面に粘着剤層が形成されるとともに、直方体状に形成された基材と、
シート基材上にアンテナ、およびこのアンテナに接続され該アンテナを介して情報の書込みおよび読込みが行われるＩＣチップを備えるＲＦＩＤインレットと、
前記基材に被覆された前記ＲＦＩＤインレットの、さらに表面を被覆する保護部材と、を備え、
前記シート基材の一部を、アンテナ間の空間を表面側が山側となるようアンテナに沿って折り曲げ、かつ、張り合わせ突出させて高所部を形成するとともに、この高所部の側面にアンテナを施設し、さらに、折り曲げていない残りの前記シート基材を前記基材の表面に貼り付けて低所部を形成し、
前記高所部の側面に施設したアンテナを介して側面よりの送受信を可能としたことを特徴とする情報記録担体。
【発明の詳細な説明】
【技術分野】
【０００１】
本発明は、特に、ＲＦＩＤインレットに内蔵されたアンテナの一部を側面に折り曲げ、かつ、ポッティング材により保護した情報記録担体に関する。
【背景技術】
【０００２】
従来、内蔵されたＲＦＩＤ（Ｒａｄｉｏ  Ｆｒｅｑｕｅｎｃｙ−Ｉｄｅｎｔｉｆｉｃａｔｉｏｎ）の指向性を向上させ、かつ、通信可能距離を一定とすべく、ＲＦＩＤのアンテナを折り曲げて用いるＲＦ−ＩＤメディア（情報記録担体）が知られている（例えば、特許文献１参照）。
特許文献１のＲＦ−ＩＤメディア（情報記録担体）によれば、折り曲げ可能な折り線を介して複数の領域に分割されたベース基材を備え、筐体の縁にて折り線を介して前記ベース基材を折り曲げるなどして貼り付けることにより、情報書込／読込装置のアンテナとベース基材の領域のひとつのアンテナとが互いに垂直となるよう配置されるものであり、これにより情報書込／読込装置とベース基材のアンテナとの通信距離を一定にすることができようになっている。
しかしながら、特許文献１のＲＦ−ＩＤメディア（情報記録担体）は、折り線を介してベース基材の領域を２つ連接（同文献の図１）、あるいは、Ｌ字形状に３つ連接（同文献の図５）する必要があり、領域を分割するため大型化が避けられないばかりか、情報書込／読込装置のアンテナに対応してＲＦ−ＩＤメディアの種類を複数種、用意する必要があるため、種類管理が煩雑になるという問題がある。
更に、筐体の縁を使って２つ折り、あるいは、筐体の角部（コーナー部分）を使って３つ折りにする必要があるため、このＲＦ−ＩＤメディアを「貼り付け装置」に使用した場合、貼り付け動作が複雑になるという問題がある。
【特許文献１】特開２００３−２１６９１９号公報
【発明の開示】
【発明が解決しようとする課題】
【０００３】
本発明は、上記の問題点に着目してなされたものであり、単葉のＲＦＩＤインレットを用いてＲＦＩＤに対する側面からの読込み／書込みを可能とした情報記録担体を提供することを課題とする。
【課題を解決するための手段】
【０００４】
本発明に係る情報記録担体は、裏面に粘着剤層が形成されるとともに、表面に高所部および低所部が形成された基材と、前記基材の表面に形成された前記高所部および低所部の形状に沿って貼り付けるとともに、アンテナ、およびこのアンテナに接続され、該アンテナを介して情報の書込みおよび読込みが行われるＩＣチップを備えるＲＦＩＤインレットと、前記基材に被覆された前記ＲＦＩＤインレットの、さらに表面を被覆する保護部材と、を備え、前記基材の高所部より側面へ前記アンテナの一部を折り曲げて施設し、このアンテナを介して側面よりの送受信を可能としたことを特徴とする。
また、基材の表面を、側断面が波形状の凹凸による低所部および高所部が形成され、高所部より側面になだらかな傾斜部が形成されるようにし、傾斜部にアンテナの一部を折り曲げるようにできる。
また、基材を、立設して形成された突状の高所部と、平坦部の低所部とが形成されるようにし、突状の高所部の側面にアンテナの一部を折り曲げるようにできる。
また、基材を、上面が平坦状に形成された高所部と、底面の周縁部に形成された低所部と、上面の高所部より底面の周縁部の低所部に向けて形成された傾斜部とを備えた角錐台状を呈するようにし、上面の高所部より側面の傾斜部にアンテナの一部を折り曲げるようにできる。
また、基材を、周縁部を反らせて形成した高所部と、中央部位を窪んだ凹状に形成した低所部と、中央部位の低所部より周縁部の高所部に抜けて形成した傾斜部とを備えたすり鉢状を呈するようにし、傾斜部に沿ってアンテナの一部を施設するようにできる。
さらに、第２の発明に係る情報記録担体は、裏面に粘着剤層が形成されるとともに、直方体状に形成された基材と、シート基材上にアンテナ、およびこのアンテナに接続され該アンテナを介して情報の書込みおよび読込みが行われるＩＣチップを備えるＲＦＩＤインレットと、前記基材に被覆された前記ＲＦＩＤインレットの、さらに表面を被覆する保護部材と、を備え、前記シート基材の一部を、アンテナ間の空間を表面側が山側となるようアンテナに沿って折り曲げ、かつ、張り合わせ突出させて高所部を形成するとともに、この高所部の側面にアンテナを施設し、さらに、折り曲げていない残りの前記シート基材を前記基材の表面に貼り付けて低所部を形成し、前記高所部の側面に施設したアンテナを介して側面よりの送受信を可能としたことを特徴とする。
【発明の効果】
【０００５】
発明に係る情報記録担体は、高所部より側面にアンテナの一部を折り曲げるようにしたので、一部のアンテナが側面方向に向き、平面からであっても、また、側面からであってもＲＦＩＤインレットのアンテナとの送受信が行え、アンテナを介してＩＣチップへの読込みおよび書込みが可能なため、指向性の範囲が広がるという効果がある。
また、第２の発明に係る情報記録担体は、シート基材の一部を、張り合わせ突出させて高所部を形成するとともに、この高所部の側面にアンテナを施設し、さらに、折り曲げていない残りのシート基材を基材の表面に貼り付けて低所部を形成するようにしたので、平面からであっても、また、側面からであってもＲＦＩＤインレットに対する読込みおよび書込みが可能なため、指向性の範囲が広がるという効果がある。
【発明を実施するための最良の形態】
【０００６】
以下、本発明の第１の実施の形態による情報記録担体を図１ないし図５に基づき説明する。
図１は、情報記録担体の平面図であり、図２は、図１中、矢示ＩＩ方向より見た概略側面図、図３は、図２中、ＩＩＩ部分の概略拡大図、図４は、図１中、矢示ＩＶ−ＩＶ線に沿う概略側断面図、図５は、図１中、矢示Ｖ−Ｖ線に沿う概略側断面図である。
同図に示すように、情報記録担体１は、主に、基材２と、ＲＦＩＤインレット３と、保護部材４と、を備える。
【０００７】
基材２は、主に、図４に示すように、側断面の一面（同図における上面（表面））５側が、波頭部分の高所部５ａ、および波底部分の低所部５ｂが連続する「波形状」を呈しており、かつ、他面（同図における下面（裏面））側は、粘着剤層６が形成されている。
また、主に、図５に示すように、前記高所部５ａから側面（同図における左側）に向け、かつ、高所部５ａから低所部５ｂに向けてなだらかな傾斜部５ｃが形成されている。
なお、基材２の材質としては、例えば、成型が容易な樹脂の採用が可能である。
【０００８】
ＲＦＩＤインレット３は、各種の情報を蓄積するためのＩＣチップ７、およびアンテナ８が、樹脂フィルムなどで作製されたシート基材９上に設けられて成り、かつ、シート基材（図示省略）の裏面側は図示省略の粘着剤層が形成されており、この粘着剤層（図示省略）を介して前記基材２上に貼り付けられるようになっている。
【０００９】
保護部材４は、前記基材２上に貼り付けた前記ＲＦＩＤインレット３のＩＣチップ７およびアンテナ８を保護する役目を果たすものであり、封止樹脂にてポッティングして封止する。
【００１０】
次に、図１ないし図５を使用して、情報記録担体１の作製方法を説明する。
先ず、樹脂を成型し、高所部５ａ、低所部５ｂ、および傾斜部５ｃを備えた厚みのある基材２を作製する。すなわち、主に、図４に示すように、側断面の表面５側を波形状に成型するとともに、主に、図４および図５に示すように、高所部５ａより側面、および高所部５ａより低所部５ｂに向けてなだらかな傾斜部５ｃを形成する。また、裏面側には粘着剤層６を形成する。
【００１１】
次いで、基材２の表面にＲＦＩＤインレット３を貼り付ける。すなわち、基材２の表面５側にＲＦＩＤインレット３のシート基材９を載せ、図示省略のスポンジなどの弾性体を用いたローラ体にて押圧するものであり、高所部５ａ、低所部５ｂおよび傾斜部５ｃが成型された基材２表面５の凹凸に沿ってＲＦＩＤインレット３は形成されるとともに、ＲＦＩＤインレット３は、シート基材９裏面の粘着剤層（図示省略）を介して基材２の表面５に貼り付けられる。このとき、外周縁に設けられたアンテナ８が傾斜部５ｃに沿って形成され、一部のアンテナ８の方向が折り曲げられて側面方向に向くため、図示省略の情報書込／読込装置のアンテナと、基材２のアンテナ８とが互いに交差する状態となるよう配置されるものである。
【００１２】
次に、前記基材２の表面５に貼ら付けられたＲＦＩＤインレット３の表面を保護部材４で被覆する。すなわち、封止樹脂にてポッティングして封止するものであり、前記基材２上に貼り付けたＲＦＩＤインレット３のＩＣチップ７およびアンテナ８が保護されるものである。
【００１３】
上述したように、アンテナ８の一部が傾斜部５ｃに沿って側面に折り曲げられた状態に形成され、一部のアンテナ８が側面（主に、図３参照）方向に向くため、情報記録担体１を基材２裏面の粘着剤層６を介して図示省略の物品に貼り付けたとき、情報書込／読込装置のアンテナ（図示省略）が情報記録担体１の平面側（図１の正面側）に位置していた場合であっても、また、側面（図２の正面側）に位置していた場合であっても、図示省略の情報書込／読込装置のアンテナと、基材２のアンテナ８とが互いに垂直または交差する状態となるよう配置されるため、アンテナ８を介してのＩＣチップ７に対する情報の読込みおよび書込みが行え、もって指向性の範囲が広がることになる。
【００１４】
次に、図６ないし図８に基づき、第２の実施の形態の情報記録担体１１につき説明する。
なお、以下において、先の実施の形態と同様の部分は同一符号を付すに止め、詳説は省略する。
図６は、情報記録担体１１の平面図であり、図７は、図６中、矢示ＶＩＩ方向より見た概略側面図、図８は、図６中、矢示ＶＩＩＩ−ＶＩＩＩ線に沿う概略側断面図である。
同図に示すように、情報記録担体１１は、主に、基材１２と、ＲＦＩＤインレット３と、保護部材４と、を備える。
本実施の形態の基材１２は、主に、図８に示すように、側断面の一面（同図における上面）１３側には、平坦面状の低所部１３ｂと、この低所部１３ｂに立設し基材１２の周縁部において周囲を囲繞する状態で突出させた高所部１３ａとが形成され、かつ、裏面側には粘着剤層６が設けられている。すなわち、直方体状の「基材基部」に対し、高所部１３ａが突出した形状の基材１２の表面にＲＦＩＤインレット３のシート基材９を貼り付けるものであり、基材１２の表面１３側にＲＦＩＤインレット３を載せ、図示省略のローラ体にて押圧するものであり、高所部１３ａ、および低所（平坦面）部１３ｂが成型された基材１２表面１３の凹凸に沿ってＲＦＩＤインレット３は形成されるとともに、ＲＦＩＤインレット３は、シート基材９裏面の粘着剤層（図示省略）を介して基材１２の表面１３に貼り付けられる。このとき、主に、図８に示すように、アンテナ８の一部が突出した高所部１３ａの側面に沿って形成され、一部のアンテナ８の方向が折り曲げられた状態で側面方向に向くため、図示省略の情報書込／読込装置のアンテナと、基材１２の表面１３に貼付されたＲＦＩＤインレット３のアンテナ８とが互いに垂直となるよう配置されるものであり、もって指向性の範囲が広がるものである。
なお、基材１２の表面１３に貼り付けられたＲＦＩＤインレット３の表面は、封止樹脂にてポッティングして封止した保護部材４で被覆する。
その他の構成、作用、効果については、先の実施の形態とほぼ同様につき詳説を省略する。
なお、本実施の形態の高所部１３ａは、基材１２の周縁部において周囲を囲繞するように立設して形成した例で説明したがこれに限定されないことは勿論であり、長辺部および短辺部の連続する２辺のみでも構わない。さらに、立設して形成された高所部１３ａの側面にアンテナ８を施設可能ならば、高所部１３ａは基材１２の中央部位に形成しても差し支えない。
【００１５】
図９は、第３の実施の形態の情報記録担体２１を示す図８相当の概略側断面図である。同図に示すように、本実施の形態の基材２２の表面２３には、平坦面状の低所部２３ｂと、この低所部２３ｂに立設し基材２２の周縁部において周囲を囲繞する状態で突出させた断面が三角状の高所部２３ａとが形成され、かつ、高所部２３ａの側面には、傾斜部２３ｃが形成されている。そして、基材２２の表面２３側にＲＦＩＤインレット３のシート基材９を載せ、図示省略のローラ体にて押圧すると、高所部２３ａ、および低所（平坦）部２３ｂの形状に沿ってＲＦＩＤインレット３は形成され、アンテナ８の一部が突出した高所部２３ａから低所部２３ｂに向けて形成された傾斜部２３ｃにて折り曲げられた状態で側面方向に向くため、図示省略の情報書込／読込装置のアンテナが側面に位置した場合でも、基材２２に貼付されたＲＦＩＤインレット３のアンテナ８との交信が容易となるものである。
また、基材２２の表面２３に貼ら付けられたＲＦＩＤインレット３の表面は、封止樹脂にてポッティングして封止した保護部材４で被覆する。
なお、本実施の形態の高所部２３ａは、基材２２の周縁部において周囲を囲繞するように立設して形成した例で説明したがこれに限定されないことは勿論であり、長辺部および短辺部の連続する２辺のみでも構わない。
その他の構成、作用、効果については、先の実施の形態とほぼ同様につき詳説を省略する。
【００１６】
図１０は、第４の実施の形態に係る情報記録担体３１を示す図８相当の概略側断面図である。
なお、以下において、先の実施の形態と同様の部分は同一符号を付すに止め、詳説は省略する。
本実施の形態の基材３２は直方体状を呈しており、その基材３２の表面３３の平坦部（図１０における上面部）にＲＦＩＤインレット３のシート基材９を貼り付ける。ＲＦＩＤインレット３は、シート基材９の一部を「旗（フラグ）」の状態に折り曲げて突出させ、裏面の粘着剤層（図示省略）にて張り合わせて高所部３４ａを設ける。すなわち、ＲＦＩＤインレット３のアンテナ８とアンテナ８の間の空間を表面側が山側となるようアンテナ８に沿ってシート基材９の一部を折り曲げてフラグ（旗）状態に突出した高所部３４ａを設け、さらに、突出させない部分は基材３２表面３３の平坦部に貼り付けるようにするものであり、アンテナ８間の空間を折り曲げ、かつ、突出して設けた高所部３４ａと、平坦部に形成された低所部３４ｂとにより凹凸状態を呈し、さらに、高所部３４ａの側面に沿って設けられたアンテナ８は、側面に設けられた図示省略の情報書込／読込装置のアンテナに対応し、また、低所（平坦）部３４ｂに設けられたアンテナ８は、平面（同図における上方）に設けられた図示省略の情報書込／読込装置のアンテナに対応するため、指向性の範囲が広がるものである。
なお、基材３２の表面３３に貼ら付けられたＲＦＩＤインレット３の表面は、封止樹脂にてポッティングして封止した保護部材４で被覆する。
その他の構成、作用、効果については、先の実施の形態とほぼ同様につき詳説を省略する。
【００１７】
図１１は、第５の実施の形態に係る情報記録担体４１を示す図８相当の概略側断面図である。
なお、以下において、先の実施の形態と同様の部分は同一符号を付すに止め、詳説は省略する。
本実施の形態の基材４２は、表面４３の周縁部を反らせ、かつ、中央部位を凹状に形成したすり鉢状の形状を呈しており、反らせた周縁部が高所部４３ａとなり、また、凹状の中央部位が低所部４３ｂとなり、さらには、低所部４３ｂより高所部４３ａに向かう傾斜部４３ｃが形成される。高所部４３ａ、傾斜部４３ｃ、および低所部４３ｂが形成された前記基材４２の表面４３に、シート基材９裏面の粘着剤層（図示省略）を介してＲＦＩＤインレット３を貼り付けるものであり、周縁部に近い傾斜部４３ｃにアンテナ８の一部が周縁部に沿った長手方向に施設され、側面に設けられた情報書込／読込装置のアンテナ（図示省略）に対応し、また、低所（平坦）部４３ｂに設けられたアンテナ８は、平面（同図における上方）に設けられた図示省略の情報書込／読込装置のアンテナに対応するため、指向性の範囲が広がるものである。
なお、基材４２の表面４３に貼ら付けられたＲＦＩＤインレット３の表面は、封止樹脂にてポッティングして封止した保護部材４で被覆する。
その他の構成、作用、効果については、先の実施の形態とほぼ同様につき詳説を省略する。
【００１８】
図１２ないし図１３は、第６の実施の形態に係る情報記録担体５１を示す図であり、図１２は概略斜視図、図１３は、図１２中、矢示ＸＩＩＩ方向より見た図２相当の概略側面図である。
なお、以下において、先の実施の形態と同様の部分は同一符号を付すに止め、詳説は省略する。
本実施の形態の基材５２は「角錐台状」を呈しており、表面部５３は平坦な高所部５３ａとなっており、また、底辺の周縁部の低所部５３ｂに向け傾斜部５３ｃが形成されている。前記高所部５３ａ、傾斜部５３ｃおよび低所部５３ｂが形成された基材５２の表面５３に、シート基材９裏面の粘着剤層（図示省略）を介してＲＦＩＤインレット３を貼り付けるものであり、傾斜部５３ｃにアンテナ８の一部が周縁部に沿った長手方向に施設され、側面に設けられた情報書込／読込装置のアンテナ（図示省略）に対応し、また、高所部（平坦部）５４ａに設けられたアンテナ８は、平面（同図における上方）に設けられた図示省略の情報書込／読込装置のアンテナに対応するため、指向性の範囲が広がるものである。
基材５２の表面５３に貼ら付けられたＲＦＩＤインレット３の表面は、封止樹脂にてポッティングして封止した保護部材４で被覆する。
なお、アンテナ８を稜線に沿って折り曲げた際、斜面部５３ｃが形成されており、直角、あるいは鋭角に折り曲げられることがないので、折り曲げによるアンテナ８損傷のおそれが軽減される。
その他の構成、作用、効果については、先の実施の形態とほぼ同様につき詳説を省略する。
【図面の簡単な説明】
【００１９】
【図１】本発明に係る情報記録担体の第１の実施の形態を示す平面図である。
【図２】同、図１中、矢示ＩＩ方向より見た概略側面図である。
【図３】同、図２中、ＩＩＩ部分の拡大概略図である。
【図４】同、図１中、矢示ＩＶ−ＩＶ線に沿う概略側断面図である。
【図５】同、図１中、矢示Ｖ−Ｖ線に沿う概略側断面図である。
【図６】本発明に係る情報記録担体の第２の実施の形態を示す平面図である。
【図７】同、図６中、矢示ＶＩＩ方向より見た概略側面図である。
【図８】同、図６中、矢示ＶＩＩＩ−ＶＩＩＩ線に沿う概略側断面図である。
【図９】本発明に係る情報記録担体の第３の実施の形態を示す図８相当の概略側断面図である。
【図１０】本発明に係る情報記録担体の第４の実施の形態を示す図８相当の概略側断面図である。
【図１１】本発明に係る情報記録担体の第５の実施の形態を示す図８相当の概略側断面図である。
【図１２】本発明に係る情報記録担体の第６の実施の形態を示す概略斜視図である。
【図１３】同、図１２中、矢示ＸＩＩＩ方向より見た図２相当の概略側面図である。
【符号の説明】
【００２０】
１    情報記録担体（第１の実施の形態）
２    基材
３    ＲＦＩＤインレット
４    保護部材
５    基材２の一面（表面）
５ａ  高所部
５ｂ  低所部
５ｃ  傾斜部
６    粘着剤層
７    ＩＣチップ
８    アンテナ
９    シート基材
１１  情報記録担体（第２の実施の形態）
１２  基材
１３  基材１２の一面（表面）
１３ａ  高所部
１３ｂ  低所部
２１  情報記録担体（第３の実施の形態）
２２  基材
２３  基材２２の表面
２３ａ  高所部
２３ｂ  低所部
２３ｃ  傾斜部
３１  情報記録担体（第４の実施の形態）
３２  基材
３３  表面
３４ａ  高所部
３４ｂ  低所部
４１  情報記録担体（第５の実施の形態）
４２  基材
４３  表面
４３ａ  高所部
４３ｂ  低所部
４３ｃ  傾斜部
５１  情報記録担体（第６の実施の形態）
５２  基材
５３  表面
５３ａ  高所部
５３ｂ  低所部
５３ｃ  斜面部
【図１】
2008052462.tif 000003
【図２】
2008052462.tif 000004
【図３】
2008052462.tif 000005
【図４】
2008052462.tif 000006
【図５】
2008052462.tif 000007
【図６】
2008052462.tif 000008
【図７】
2008052462.tif 000009
【図８】
2008052462.tif 000010
【図９】
2008052462.tif 000011
【図１０】
2008052462.tif 000012
【図１１】
2008052462.tif 000013
【図１２】
2008052462.tif 000014
【図１３】
2008052462.tif 000015